(57)【要約】      （修正有）【課題】客観的な指標と人間の感覚に基づく指標をともに取り入れ、信頼性の高い防犯マップを提供する。【解決手段】環境特性の危険度を表す防犯マップを作成してクライアント端末３００ｂに提供するホスト１００と、周囲の環境特性を測定して測定データを前記ホスト１００に送信する環境測定装置２００と、周囲の環境特性をどのように体感するかの入力をユーザより受け付けて前記ホストにその入力内容データを送信する携帯端末３００ａと、を有し、前記ホスト１００は、前記測定データと前記入力内容データを用いて、前記環境測定装置２００の測定結果と前記携帯端末３００ａのユーザによる入力内容の双方に基づき環境特性の危険度を算出し、その算出結果を用いて前記防犯マップを作成する。【選択図】図１
2011070246.tif 000002
【特許請求の範囲】
【請求項１】
環境特性の危険度を表す防犯マップを作成してクライアント端末に提供するホストと、
周囲の環境特性を測定して測定データを前記ホストに送信する環境測定装置と、
周囲の環境特性をどのように体感するかの入力をユーザより受け付けて前記ホストにその入力内容データを送信する携帯端末と、
を有し、
前記ホストは、
前記測定データと前記入力内容データを用いて、前記環境測定装置の測定結果と前記携帯端末のユーザによる入力内容の双方に基づき環境特性の危険度を算出し、その算出結果を用いて前記防犯マップを作成する
ことを特徴とする防犯マップシステム。
【請求項２】
前記環境測定装置は、
周囲の光、音、臭気、風の少なくともいずれかを測定する環境特性測定部を備え、
前記環境特性測定部の測定結果を前記測定データとして前記ホストに送信する
ことを特徴とする請求項１記載の防犯マップシステム。
【請求項３】
前記携帯端末は、
周囲の視野角、光、音、臭気、風の少なくともいずれかについてどのように体感するかの入力をユーザより受け付けて前記ホストにその入力内容データを送信する
ことを特徴とする請求項１または請求項２記載の防犯マップシステム。
【請求項４】
前記ホストは、前記防犯マップを作成する地域の地図データを保持しており、
前記携帯端末は、
前記視野角と当該携帯端末の位置情報を前記ホストに送信し、
前記ホストは、
前記地図データのうち前記位置情報に対応する部分の地図を用いてその位置の視野角を算出し、前記携帯端末より受信した前記視野角との平均値を求め、その平均値を当該位置における視野角を表す前記環境特性として、前記防犯マップを作成する
ことを特徴とする請求項１から請求項３のいずれか１項に記載の防犯マップシステム。
【請求項５】
前記ホストは、
前記測定データと前記入力内容データの平均値を表す画像を前記地図データに重畳して前記防犯マップを作成する
ことを特徴とする請求項４記載の防犯マップシステム。
【発明の詳細な説明】
【技術分野】
【０００１】
本発明は、地域環境の危険度（または安全度）を表す防犯マップを作成するシステムに関するものである。
【背景技術】
【０００２】
国の防災機関や地方自治体は、自然災害の発生可能性などを予測して地図化したハザードマップを提供している。ハザードマップは、地域の地形データなどの客観的な指標に基づき作成されているため、信頼性が高いといえる。しかし、ハザードマップを作成している自治体数は少なく、国土の総面積に対するカバー率は低い。
【０００３】
一方、防犯マップは、犯罪発生頻度やその種類などを地図化したものである。防犯マップは地域性が強く、警察や地域社会が主体となって事件・事故の発生場所や件数に基づき作成されているが、ハザードマップとは異なり、必ずしも客観的な指標に基づき作成されているわけではないとも考えられる。防犯に対する意識や、犯罪の危険度を不快・恐怖として受け取る度合いが、個人毎に異なっているからである。
【０００４】
下記特許文献１には、各種センサを用いて地域社会の環境を分析するシステムが提案されている。
【先行技術文献】
【特許文献】
【０００５】
【特許文献１】特開２００２−２１５８４３号公報
【発明の概要】
【発明が解決しようとする課題】
【０００６】
防犯マップは、上述のように必ずしも客観的指標に基づいていない可能性がある。そのため、地域で計測した環境特性データを用い、客観的な指標をもってその地域の危険度（安全度）を表した防犯マップが望まれる。一方、環境特性のような機械計測による指標のみでは、不快・恐怖といった人間の心理的感覚を十分に表しきれない可能性もある。
【０００７】
本発明は、上記のような課題を解決するためになされたものであり、客観的な指標と人間の感覚に基づく指標をともに取り入れ、信頼性の高い防犯マップを提供することを目的とする。
【課題を解決するための手段】
【０００８】
本発明に係る防犯マップシステムは、環境特性を測定する環境測定装置の測定結果と、ユーザが体感する環境特性を入力する携帯端末との双方を用いて環境特性を測定し、これらに基づき防犯マップを作成する。
【発明の効果】
【０００９】
本発明に係る防犯マップシステムによれば、機械計測による環境特性の客観的な測定結果と、ユーザの体感的な環境特性の測定結果の双方の良さを取り入れた防犯マップを作成することができる。
【図面の簡単な説明】
【００１０】
【図１】実施の形態１に係る防犯マップシステム１０００の構成図である。
【図２】環境測定装置２００の機能ブロック図である。
【図３】携帯端末３００の画面上でユーザが環境特性の体感値を入力するために用いる入力画面３１０の構成例を示す図である。
【図４】地図・気象データベース１５０が格納する地図・気象情報１５１と区画情報１５２の構成とデータ例を示す図である。
【図５】変換データベース１６０が格納する各テーブルの構成とデータ例を示す図である。
【図６】測定情報データベース１７０が格納する測定情報テーブル１７００の構成とデータ例を示す図である。
【図７】体感情報データベース１８０が格納する体感情報テーブル１８００の構成とデータ例を示す図である。
【図８】区画別集計情報データベース１９０が格納する各テーブルの構成とデータ例を示す図である。
【図９】環境測定装置２００の動作フローである。
【図１０】携帯端末３００の動作フローである。
【図１１】ホスト１００の動作フローである。
【図１２】ホスト１００が図１１のステップＳ１１０６において視野角を算出する様子を示す概念図である。
【図１３】区画ＩＤ別に集計された値をマッピングして防犯マップとして描画する出力結果が得られるまでの過程を示す概略図である。
【発明を実施するための形態】
【００１１】
＜実施の形態１＞
図１は、本発明の実施の形態１に係る防犯マップシステム１０００の構成図である。防犯マップシステム１０００は、ホスト１００、環境測定装置２００ａおよび２００ｂ、携帯端末３００ａおよび３００ｂを有する。これらの機器は、公衆回線網４００を介して接続されている。環境測定装置２００ａおよび２００ｂ、携帯端末３００ａおよび３００ｂは、それぞれ同様の構成を有するため、以下これらを総称するときは、それぞれ環境測定装置２００、携帯端末３００と呼ぶ。
【００１２】
ホスト１００は、送受信部１１０、受信データ解析部１２０、データ変換部１３０、データ集計部１４０、地図・気象データベース１５０、変換データベース１６０、測定情報データベース１７０、体感情報データベース１８０、区画別集計情報データベース１９０を備える。
【００１３】
送受信部１１０は、公衆回線網４００を介して、環境測定装置２００、携帯端末３００との間でデータを送受信する。送受信部１１０は、公衆回線網４００と接続するためのインタフェースを適宜備える。
【００１４】
受信データ解析部１２０は、送受信部１１０が受信したデータを解析し、ホスト１００が処理し易い形式に整形するなどの処理を実行する。
【００１５】
データ変換部１３０は、変換データベース１６０が格納しているデータを用いて、環境測定装置２００、携帯端末３００から受信したデータを所定のパラメータに変換する。具体的な内容は、変換データベース１６０について説明する際に改めて述べる。
【００１６】
データ集計部１４０は、データ変換部１３０がパラメータに変換したデータを、地域の区画毎に集計する。地域の区画については後述する。
【００１７】
地図・気象データベース１５０、変換データベース１６０、測定情報データベース１７０、体感情報データベース１８０、区画別集計情報データベース１９０については、後述の図４〜図８で改めて説明する。
【００１８】
送受信部１１０、受信データ解析部１２０、データ変換部１３０、データ集計部１４０は、これらの機能を実現する回路デバイスなどのハードウェアを用いて構成することもできるし、マイコンやＣＰＵ（Ｃｅｎｔｒａｌ  Ｐｒｏｃｅｓｓｉｎｇ  Ｕｎｉｔ）などの演算装置とその動作を規定するプログラムを用いて構成することもできる。
【００１９】
各データベースは、ＨＤＤ（Ｈａｒｄ  Ｄｉｓｋ  Ｄｒｉｖｅ）などの書き込み可能な記憶装置と、データ内容を保持するデータファイルなどを用いて構成することができる。
【００２０】
環境測定装置２００は、周辺の環境特性を計測し、公衆回線網４００を介してホスト１００に送信する。ここでいう環境特性とは、風向や音量など、周囲の環境に影響を与える可能性のある物理的特性のことである。環境測定装置２００の具体的な構成は、後述の図２で改めて説明する。
【００２１】
携帯端末３００は、ユーザが携帯して持ち歩き、周囲の環境特性の体感値を入力するための通信端末である。携帯端末３００は、ユーザが入力した体感値を、公衆回線網４００を介してホスト１００に送信する。携帯端末３００の具体的な構成は、後述の図３で改めて説明する。
【００２２】
図２は、環境測定装置２００の機能ブロック図である。環境測定装置２００は、環境特性測定部２１０、制御部２２０、記憶部２３０を備える。
【００２３】
環境特性測定部２１０は、後述のタイマ２２３が測定する所定の時間間隔毎に環境測定装置２００周辺の環境特性を測定する機能部であり、ＧＰＳ２１１、照度計２１２、明度計２１３、集音マイク２１４、臭度計２１５、風向風速計２１６を備える。
【００２４】
ＧＰＳ２１１は、環境測定装置２００の位置を取得する。
【００２５】
照度計２１２は、環境測定装置２００周辺の照度を測定する。
【００２６】
明度計２１３は、環境測定装置２００周辺の明度を測定する。
【００２７】
集音マイク２１４は、環境測定装置２００周辺の音量と音質を測定する。
【００２８】
臭度計２１５は、環境測定装置２００周辺の臭気を測定する。
【００２９】
風向風速計２１６は、環境測定装置２００周辺の風向と風量を測定する。
【００３０】
制御部２２０は、環境測定装置２００が備える各機能部を制御する機能部であり、送受信部２２１、測定制御部２２２、タイマ２２３を備える。
【００３１】
送受信部２２１は、公衆回線網４００を介してホスト１００との間でデータを送受信する。
【００３２】
測定制御部２２２は、タイマ２２３が測定する所定の時間間隔毎に、環境特性測定部２１０が備える各機能部を起動し環境特性の測定データを取得し、記憶部２３０に格納する。また、記憶部２３０が格納している測定データを同様にタイマ２２３が測定する所定の時間間隔毎に取得し、送受信部２２１を介してホスト１００に送信する。
【００３３】
タイマ２２３は、環境特性測定部２１０が備える各機能部が上記各環境特性を測定し、ホスト１００に送信するタイミングを定めるための時間間隔を測定する。この時間間隔は、公衆回線網４００を介してホスト１００から設定できるようにしてもよい。
【００３４】
記憶部２３０は、環境測定装置２００が備える各機能部の測定結果データを格納する。
【００３５】
制御部２２０は、その機能を実現する回路デバイスなどのハードウェアを用いて構成することもできるし、マイコンやＣＰＵなどの演算装置とその動作を規定するプログラムを用いて構成することもできる。
【００３６】
記憶部２３０は、ＨＤＤなどの書き込み可能な記憶装置と、データ内容を保持するデータファイルなどを用いて構成することができる。
【００３７】
図３は、携帯端末３００の画面上でユーザが環境特性の体感値を入力するために用いる入力画面３１０の構成例を示す図である。入力画面３１０は、視野入力欄３１１、照度入力欄３１２、明度入力欄３１３、音量入力欄３１４、音質入力欄３１５、臭気入力欄３１６、風向入力欄３１７、風速入力欄３１８、送信ボタン３１９を有する。
【００３８】
携帯端末３００のユーザは、自分が体感する環境特性を入力画面３１０上で入力し、送信ボタン３１９を押下する。携帯端末３００は、携帯端末３００の位置情報をＧＰＳなどにより取得し、その時点の日時および入力内容とともにホスト１００へ送信する。
【００３９】
入力画面３１０でユーザが入力する選択肢の内容は、ユーザが躊躇せずに、感じたままに選択できるような文章表現で記述されていることが望ましい。ここでユーザが選択する内容と、後述の図５で説明する「５感ＩＤ」とを適切に対応付けるためである。詳細は図５で改めて説明する。
【００４０】
図４は、地図・気象データベース１５０が格納する地図・気象情報１５１と区画情報１５２の構成とデータ例を示す図である。以下、各情報について説明する。なおここでは、説明の便宜上、各情報をテーブル形式で記載したが、データ形式は任意でよい。
【００４１】
地図・気象情報１５１は、ある特定地点の気象情報と地図を保持する情報であり、緯度列１５１１、経度列１５１２、地図データ列１５１３、気象情報列１５１４、区画ＩＤ列１５１５を有する。なお、気象情報１５１４は、環境測定装置２００および携帯端末３００からの情報量が乏しい区画の情報を補正する目的で設けたが、その地域環境にとって環境測定装置２００および携帯端末３００から送信される情報量だけで十分な場合は、必ずしも本列を設けなくともよい。
【００４２】
緯度列１５１１と経度列１５１２は、ある特定地点の緯度と経度を表す。
【００４３】
地図データ列１５１３は、緯度列１５１１と経度列１５１２の値で特定される地点の周辺地図を画像データなどの形式で保持する。
【００４４】
気象情報列１５１４は、緯度列１５１１と経度列１５１２の値で特定される地点の気象情報を保持する。
【００４５】
区画ＩＤ列１５１５は、緯度列１５１１と経度列１５１２の値で特定される地点が含まれる区画を識別するための識別ＩＤを保持する。区画とは、処理の便宜上、地域を矩形状に区分けしたものである。
【００４６】
区画情報１５２は、上述の各区画を定義する情報を保持する情報であり、区画ＩＤ列１５２１、開始緯度列１５２２、終了緯度列１５２３、開始経度列１５２４、終了経度列１５２５を有する。区画情報１５２の各列の値により、各区画の矩形領域が定義される。
【００４７】
区画ＩＤ列１５２１は、各区画を識別するための識別ＩＤを保持する。本列の値は、区画ＩＤ列１５１５に対応する。
【００４８】
開始緯度列１５２２と終了緯度列１５２３は、区画ＩＤ列１５２１の値で識別される区画の南北端経度を表す。
【００４９】
開始経度列１５２４と終了経度列１５２５は、区画ＩＤ列１５２１の値で識別される区画の東西端経度を表す。
【００５０】
図５は、変換データベース１６０が格納する各テーブルの構成とデータ例を示す図である。各テーブルは、環境特性の測定値を「１」〜「５」の数値に対応付けるための変換規則を記述している。この変換は、携帯端末３００でユーザが「１」〜「５」の数値を入力することに対応したものである。以下、各テーブルについて説明する。なお、データ形式は必ずしもテーブル形式でなくともよい。
【００５１】
変換データベース１６０は、視野角変換テーブル１６１、照度変換テーブル１６２、明度変換テーブル１６３、音量変換テーブル１６４、音質変換テーブル１６５、臭気変換テーブル１６６、風向変換テーブル１６７、風速変換テーブル１６８を有する。
【００５２】
各テーブルは、風向変換テーブル１６７を除き、「５感ＩＤ」列と、各測定項目の数値幅との対応関係を記述している。例えば照度変換テーブル１６２の１行目のデータによれば、照度計２１２の測定結果が「０〜１０Ｌｕｘ」の範囲内である場合は、その測定結果を「５感ＩＤ＝１」に対応付けることが分かる。これは、照度計２１２の測定結果が「０〜１０Ｌｕｘ」の範囲内である地点でユーザが実際に携帯端末３００の入力画面３１０上で照度の体感値を入力する場合、「１：かなり暗い（一人では歩くのが少し怖く走りたくなる明るさ）」を選択するであろうと想定されることを根拠としている。
【００５３】
なお、ユーザが携帯端末３００の入力画面３１０上で入力する「１」〜「５」の体感値と「５感ＩＤ」の値は、１に近いほど不快感・恐怖感に対応し、５に近いほど快感・安心感に対応することを想定している。すなわち「５感ＩＤ」の値は、その位置の環境特性の安全度または危険度を５段階の数値で表していることになる。各変換テーブルの実際の値は、実際の地域環境に合わせて適宜最適に設定すればよい。
【００５４】
図６は、測定情報データベース１７０が格納する測定情報テーブル１７００の構成とデータ例を示す図である。測定情報テーブル１７００は、環境測定装置２００が測定した環境特性の測定結果を、変換データベース１６０が格納している各変換テーブルを用いて５感ＩＤに変換したものを保持する。測定情報テーブル１７００は、緯度列１７０１、経度列１７０２、日時列１７０３、照度列１７０４、明度列１７０５、音量列１７０６、音質列１７０７、臭気列１７０８、風向列１７０９、風速列１７１０、区画ＩＤ列１７１１を有する。
【００５５】
緯度列１７０１と経度列１７０２は、環境測定装置２００のＧＰＳ２１１が測定した環境測定装置２００の位置情報を保持する。
【００５６】
日時列１７０３は、環境測定装置２００が照度列１７０４〜風速列１７１０の値を測定した日時を保持する。本列の値は、地域の最新の環境特性情報を保持するためのものである。
【００５７】
照度列１７０４〜風速列１７１０は、環境測定装置２００の測定値を５感ＩＤに変換した値を保持する。
【００５８】
区画ＩＤ列１７１１は、緯度列１７０１と経度列１７０２の値で特定される地点を含む区画ＩＤの値を保持する。本列の値は、緯度列１７０１と経度列１７０２の値に基づき区画情報１５２を用いて割り出すことができるので、必ずしも本列を設けなくともよい。
【００５９】
図７は、体感情報データベース１８０が格納する体感情報テーブル１８００の構成とデータ例を示す図である。体感情報テーブル１８００は、ユーザが携帯端末３００の入力画面３１０を用いて入力した体感値を保持する。体感情報テーブル１８００は、測定情報テーブル１７００が有する列に加えて視野列１８０４をさらに有する。
【００６０】
視野列１８０４は、ユーザが携帯端末３００の入力画面３１０を用いて入力した視野入力欄３１１の値と、同位置に対応する地図データ列１５１３が保持する地図データを用いて算出した視野角とを平均した値である。地図データを用いて視野角を算出する手順は、後述の図１１〜図１２で改めて説明する。
【００６１】
図８は、区画別集計情報データベース１９０が格納する各テーブルの構成とデータ例を示す図である。各テーブルは、環境測定装置２００と携帯端末３００から受信したデータを区画毎に集計したデータを保持する。以下、各テーブルについて説明する。
【００６２】
区画別集計情報データベース１９０は、測定情報集計テーブル１９１０、体感情報集計テーブル１９２０、総合集計テーブル１９３０を有する。
【００６３】
測定情報集計テーブル１９１０と体感情報集計テーブル１９２０は、それぞれ測定情報テーブル１７００と体感情報テーブル１８００が保持しているデータを区画ＩＤ毎に集計したものである。
【００６４】
総合集計テーブル１９３０は、測定情報集計テーブル１９１０と体感情報集計テーブル１９２０を区画ＩＤ毎に集計したものである。
【００６５】
図９は、環境測定装置２００の動作フローである。以下、図９の各ステップについて説明する。
【００６６】
（図９：ステップＳ９０１）
制御部２２０は、タイマ２２３のカウント値を取得し、周囲の環境特性を測定すべき時期に達しているか否かを判断する。測定時期に達していればステップＳ９０２へ進み、達していなければ本ステップを適当な時間間隔で繰り返す。
【００６７】
（図９：ステップＳ９０２〜Ｓ９０４）
制御部２２０は、環境特性測定部２１０が備える各機能部を用いて周囲の環境特性を測定する。制御部２２０は、ステップＳ９０２の測定結果データを取得し、記憶部２３０にそのデータを格納する。
【００６８】
（図９：ステップＳ９０５）
制御部２２０は、タイマ２２３のカウント値を取得し、記憶部２３０が格納している測定結果データをホスト１００に送信すべき時期に達しているか否かを判断する。送信時期に達していればステップＳ９０６へ進み、達していなければステップＳ９０２へ戻って同様の処理を繰り返す。
【００６９】
（図９：ステップＳ９０６〜Ｓ９０７）
制御部２２０は、記憶部２３０が格納している測定結果データの平均値を算出する。制御部２２０は、算出した平均値を、最新の測定日時とともにホスト１００へ送信する。
【００７０】
（図９：ステップＳ９０８）
動作を継続する場合は、ステップＳ９０１へ戻って同様の処理を繰り返す。
【００７１】
図１０は、携帯端末３００の動作フローである。以下、図１０の各ステップについて説明する。
【００７２】
（図１０：ステップＳ１００１）
携帯端末３００のユーザは、携帯端末３００にホスト１００のアドレスを入力する。携帯端末３００は、ホスト１００に接続する。
【００７３】
（図１０：ステップＳ１００２）
ホスト１００は、環境特性の体感値を入力するか、現在位置周辺の防犯マップを表示するかを選択するメニューを携帯端末３００に送信する。携帯端末３００は、そのメニューを画面表示する。
【００７４】
（図１０：ステップＳ１００３）
携帯端末３００のユーザは、環境特性の体感値を入力するか、現在位置周辺の防犯マップを表示するかを選択する。環境特性の体感値を入力する旨を選択する場合はステップＳ１００４へ進み、現在位置周辺の防犯マップを表示する旨を選択する場合はステップＳ１００８へ進む。
【００７５】
（図１０：ステップＳ１００４）
携帯端末３００は、入力画面３１０を送信するようホスト１００に要求する。ホスト１００は入力画面３１０を携帯端末３００に送信し、携帯端末３００はその画面を表示する。ユーザは入力画面３１０上で環境特性の体感値を入力し、携帯端末３００はその入力を受け付ける。
【００７６】
（図１０：ステップＳ１００５）
ユーザは、環境特性の体感値の入力が終了すると、送信ボタン３１９を押下する。携帯端末３００はその押下を受け付ける。
【００７７】
（図１０：ステップＳ１００６）
携帯端末３００は、現在位置情報をホスト１００に送信してよいかどうかを問い合わせるメッセージを画面表示する。送信してよい旨をユーザが指示した場合はステップＳ１００７へ進み、送信不可を指示した場合は本動作フローを終了する。
【００７８】
（図１０：ステップＳ１００７）
携帯端末３００は、ユーザが入力画面３１０で入力した環境特性の体感値を、携帯端末３００の現在位置情報とともにホスト１００へ送信する。
【００７９】
（図１０：ステップＳ１００８）
携帯端末３００は、現在位置情報をホスト１００に送信してよいかどうかを問い合わせるメッセージを画面表示する。送信してよい旨をユーザが指示した場合はステップＳ１００９へ進み、送信不可を指示した場合は本動作フローを終了する。
【００８０】
（図１０：ステップＳ１００９）
携帯端末３００は、携帯端末３００の現在位置情報とともに、当該位置周辺の防犯マップを送信するよう要求するリクエストを、ホスト１００へ送信する。
【００８１】
（図１０：ステップＳ１０１０）
ホスト１００は、携帯端末３００が送信した現在位置情報に基づき携帯端末３００の現在位置を特定し、その周辺の防犯マップを携帯端末３００に送信する。携帯端末３００はその防犯マップを表示する。
【００８２】
図１１は、ホスト１００の動作フローである。以下、図１１の各ステップについて説明する。
【００８３】
（図１１：ステップＳ１１０１）
ホスト１００の送受信部１１０は、環境測定装置２００または携帯端末３００が送信した通信データを受信する。受信データ解析部１２０はそのデータを解析し、送信元端末が要求している内容を把握する。通信データの内容が、環境特性情報を提供するものである場合は、ステップＳ１１０２へ進む。通信データの内容が、防犯マップを提供するよう要求するものである場合は、ステップＳ１１１１へ進む。
【００８４】
（図１１：ステップＳ１１０２）
受信データ解析部１２０は、ステップＳ１１０１における通信データの送信元端末の種別を判定する。送信元が環境測定装置２００である場合はステップＳ１１０３へ進み、携帯端末３００である場合はステップＳ１１０６へ進む。
【００８５】
（図１１：ステップＳ１１０３〜Ｓ１１０５）
受信データ解析部１２０は、環境測定装置２００が送信した環境特性の測定結果データを解析する。データ変換部１３０は、変換データベース１６０を用いて測定結果データを５感ＩＤに変換し、測定情報データベース１７０に格納する。
【００８６】
（図１１：ステップＳ１１０６）
データ変換部１３０は、携帯端末３００の現在位置に対応する地図データ列１５１３内の地図データを用いて、携帯端末３００の現在位置周辺の視野角を算出する。算出手順は後述の図１２で改めて説明する。
【００８７】
（図１１：ステップＳ１１０７〜Ｓ１１０８）
データ変換部１３０は、携帯端末３００が送信した視野入力欄３１１の入力内容と、ステップＳ１１０６で算出した視野角との平均値を求め、体感情報データベース１８０に格納する。
【００８８】
（図１１：ステップＳ１１０９〜Ｓ１１１０）
データ集計部１４０は、測定情報データベース１７０と体感情報データベース１８０が格納しているデータを区画ＩＤ毎に集計して平均値を求め、区画別集計情報データベース１９０に格納する。
【００８９】
（図１１：ステップＳ１１１１）
データ変換部１３０は、携帯端末３００が送信した現在位置情報を用いて区画情報１５２を照会し、携帯端末３００の現在位置に対応する区画ＩＤを特定する。
【００９０】
（図１１：ステップＳ１１１２〜Ｓ１１１３）
データ変換部１３０は、ステップＳ１１１１で特定した区画ＩＤを用いて区画別集計情報データベース１９０を照会し、その区画の環境特性の集計データを取得する。送受信部１１０は、その集計データを携帯端末３００に送信する。このとき、その区画の地図データを併せて送信する。携帯端末３００はその集計データと地図データを用いて防犯マップを画面表示する。防犯マップの表示例は、後述の図１３で改めて提示する。
【００９１】
図１２は、ホスト１００が図１１のステップＳ１１０６において視野角を算出する様子を示す概念図である。ホスト１００は、携帯端末３００の現在位置情報に基づき、携帯端末３００周辺の地図データを取得する。図１２では携帯端末３００が市街地に存在している場合を想定し、ユーザが周辺建物に囲まれている道路に立っている例を示した。図１２の点線で記載された円の中央に、携帯端末３００を所持したユーザが存在している。
【００９２】
ホスト１００は、地図データを用いて、携帯端末３００の位置を中心とするユーザの進行方向すべてに対する視野角を算出する。視野が周辺建物などに遮られる場合はその部分の視野が得られないものと想定する。
【００９３】
ホスト１００は、視野角の種類として、周囲の状況を把握するために必要な視野角（通常視野角）と、何かに意識が集中しているときの視野角（集中視野角）の２種類を採用する。ホスト１００は、それぞれの種類の視野角内で何割が周辺建物などに遮られず視認可能であるかを算出する。
【００９４】
このときホスト１００は、通常視野角の結果より集中視野角の結果に比重を置くよう、重み付けを行うようにする。つまり、意識しているから安全（危険性が低い）と解釈するのではなく、意識しているときの視野が狭くなるほど、より見通しが悪く感じる（危険性が高くなる）と解釈するようにする。
【００９５】
このように、携帯端末３００の現在位置情報は、区画ＩＤの判定に用いるだけでなく、人の居場所および立ち入る場所の目安として重要である。また、その位置情報を図１２のように視野角算出の過程で使用することができる。
【００９６】
図１３は、区画ＩＤ別に集計された値をマッピングして防犯マップとして描画するまでの過程を示す概略図である。環境測定装置２００が設置されている位置と、ユーザが携帯端末３００を用いて環境特性の体感値を送信した位置とから、５感ＩＤを得ることができる。携帯端末３００は、区画毎の５感ＩＤの値を区画の塗り潰し色の濃さなどで表現した防犯マップを画面表示する。防犯マップの画像は、ホスト１００で作成して携帯端末３００に送信するようにしてもよいし、ホスト１００は５感ＩＤの集計データと地図データのみを提供し、５感ＩＤを表すための塗り潰しなどの画像描画処理は携帯端末３００が実行するようにしてもよい。描画処理をいずれが担当する場合でも、ホスト１００が提供する各データが本発明における「防犯マップ」に相当する。
【００９７】
以上の説明において、風向および風量については、防犯との結びつきを連想しにくいが、放火やガス漏れ等の被害に対して平常時に避難経路を確認しておくことで、被害を最小限に防ぐことができるので、安全の観点から提供することが望ましい。
【００９８】
以上のように、本実施の形態１によれば、以下の効果を発揮することができる。
（効果１）環境測定装置２００が収集する情報は、定時および定点観測となるため、リアルタイムな状況の変化を捉えることができる。これにより、ホスト１００は、信頼性のある最新の情報を収集し続けることが可能となる。
【００９９】
（効果２）携帯端末３００でユーザが入力する体感値は、人間の五感から得られる感覚を基本とし、その感覚を感覚の選択肢から選択し、感じたままに情報として伝えるものである。これにより、ホスト１００は、定量的な情報として変換された五感情報を収集することが可能となる。また、携帯端末３００で入力する情報は感じたままに回答すること、プライバシーを侵害する内容ではないことから、ユーザは情報提供する行為に心理的な抵抗感をあまり感じることなく、受け入れられやすいと思われる。
【０１００】
（効果３）環境測定装置２００および携帯端末３００の正確な位置情報と、その地域・場所の最新の環境特性データとに基づき、環境特性データを「１」〜「５」の単純な数値に変換し、地図データに重畳することにより、防犯マップを構築することができる。これにより、環境測定装置２００が測定した客観的なデータと、携帯端末３００に入力された体感的なデータとの双方を用いて、客観性を保ちつつ人間の５感により近く有用性の高い防犯マップを提供することができる。
【０１０１】
（効果４）図１１のステップＳ１１０３で取り扱うデータは、環境測定装置２００の測定結果データそのものである利点を生かし、防犯という観点から見て有効と思われる情報を生成することが可能である。例えば、照度情報は日照時間の算出が可能であり、蓄積されている携帯端末の位置情報と合わせることによって、日陰になりやすく、かつ人通りの少ない区画を推測することができ、防犯カメラ等の設置を検討することもできる。また、音量および音声情報の波形を解析することによって音源を特定し、急発進しやすい地点かどうか、防犯上好ましくない走行車の音や不快な音かどうか等が分かる。また、環境測定装置２００の設置場所次第では地理的に連続した音声情報を得ることも可能であり、点と点が繋がることで防犯マップ上におおよその経路を浮かび上がらせることもできる。
【０１０２】
＜実施の形態２＞
より詳細なデータを蓄積するためには、環境測定装置２００の設置箇所は１区画あたり１台以上、信号機や電柱・電灯等の電力を確保できる個所が望ましい。しかし、環境測定装置２００の導入コストを考えると、自治体により設置台数や環境測定装置２００内の計測機器の種類にバラつきが出る可能性が高く、空白域も出ると思われる。
【０１０３】
上記を考慮し、環境測定装置２００を可搬構成にすることもできる。この場合、環境測定装置２００を車体に取り付けて移動したり、人が環境測定装置２００を手にして持ち運び手動で計測およびデータ送信したりすることによって、より少ない環境測定装置２００数で広範囲の情報を得ることができる。
【０１０４】
＜実施の形態３＞
携帯端末３００として、携帯電話や携帯ゲーム機などを用いることができる。ただし、公衆回線網４００に接続する機能を有し、かつＧＰＳなどにより位置情報をホスト１００へ送信することができる機器であれば、任意の装置を携帯端末３００として用いることができる。
【符号の説明】
【０１０５】
１００：ホスト、１１０：送受信部、１２０：受信データ解析部、１３０：データ変換部、１４０：データ集計部、１５０：地図・気象データベース、１５１：地図・気象情報、１５１１：緯度列、１５１２：経度列、１５１３：地図データ列、１５１４：気象情報列、１５１５：区画ＩＤ列、１５２：区画情報、１５２１：区画ＩＤ列、１５２２：開始緯度列、１５２３：終了緯度列、１５２４：開始経度列、１５２５：終了経度列、１６０：変換データベース、１６１：視野角変換テーブル、１６２：照度変換テーブル、１６３：明度変換テーブル、１６４：音量変換テーブル、１６５：音質変換テーブル、１６６：臭気変換テーブル、１６７：風向変換テーブル、１６８：風速変換テーブル、１７０：測定情報データベース、１７００：測定情報テーブル、１７０１：緯度列、１７０２：経度列、１７０３：日時列、１７０４：照度列、１７０５：明度列、１７０６：音量列、１７０７：音質列、１７０８：臭気列、１７０９：風向列、１７１０：風速列、１７１１：区画ＩＤ列、１８０：体感情報データベース、１８００：体感情報テーブル、１８０４：視野列、１９０：区画別集計情報データベース、１９１０：測定情報集計テーブル、１９２０：体感情報集計テーブル、１９３０：総合集計テーブル、２００、２００ａ、２００ｂ：環境測定装置、２１０：環境特性測定部、２１１：ＧＰＳ、２１２：照度計、２１３：明度計、２１４：集音マイク、２１５：臭度計、２１６：風向風速計、２２０：制御部、２２１：送受信部、２２２：測定制御部、２２３：タイマ、２３０：記憶部、３００、３００ａ、３００ｂ：携帯端末、３１０：入力画面、３１１：視野入力欄、３１２：照度入力欄、３１３：明度入力欄、３１４：音量入力欄、３１５：音質入力欄、３１６：臭気入力欄、３１７：風向入力欄、３１８：風速入力欄、３１９：送信ボタン、４００：公衆回線網、１０００：防犯マップシステム。
【図１】
2011070246.tif 000003
【図２】
2011070246.tif 000004
【図３】
2011070246.tif 000005
【図４】
2011070246.tif 000006
【図５】
2011070246.tif 000007
【図６】
2011070246.tif 000008
【図７】
2011070246.tif 000009
【図８】
2011070246.tif 000010
【図９】
2011070246.tif 000011
【図１０】
2011070246.tif 000012
【図１１】
2011070246.tif 000013
【図１２】
2011070246.tif 000014
【図１３】
2011070246.tif 000015